(57)【要約】【課題】複数の音響部品を搭載した電子機器において、複数の音響部品が発揮する性能の均一化を図る。【解決手段】本発明に係る電子機器においては、複数の音響部品４、４が収容室に収容され、各音響機器４の外周面と収容室の内周壁との間には弾性部材４１が介在し、複数の音響部品４、４を覆って押さえ部材３が配備され、該押さえ部材３は、１或いは複数の固定部により固定され、該押さえ部材３により複数の弾性部材４１、４１が押圧されて圧縮されており、前記固定部が押さえ部材３に作用させる固定力の分布に偏りが存在する。ここで、押さえ部材３は、前記固定力の分布の偏りに応じて、各弾性部材４１に対して均等な押圧力を及ぼすこととなる形状に形成されている。【選択図】図６
2013157768.tif 000002
【特許請求の範囲】
【請求項１】
複数の音響部品が収容室に収容され、各音響機器の外周面と前記収容室の内周壁との間には弾性部材が介在し、前記複数の音響部品を覆って押さえ部材が配備され、該押さえ部材は、１或いは複数の固定部により固定され、該押さえ部材により複数の弾性部材が押圧されて圧縮されており、前記固定部が押さえ部材に作用させる固定力の分布に偏りが存在する電子機器において、前記押さえ部材は、前記固定力の分布の偏りに応じて、各弾性部材に対して均等な押圧力を及ぼすこととなる形状に形成されていることを特徴とする、複数の音響部品を搭載した電子機器。
【請求項２】
前記押さえ部材は、複数の弾性部材に対する押圧面が、前記固定力の分布の偏りに応じて、各弾性部材に対して均等な押圧力を及ぼすこととなる非平面の形状に形成されている請求項２に記載の電子機器。
【請求項３】
前記押さえ部材は、前記固定力の分布の偏りに応じて、各弾性部材に対して均等な押圧力を及ぼすこととなる厚さの分布を有している請求項１又は請求項２に記載の電子機器。
【請求項４】
前記複数の音響機器は左右一対のマイクロホンによって構成され、前記弾性部材は、各マイクロホンの外周面に装着された円筒状の弾性ホルダーである請求項１乃至請求項３の何れかに記載の電子機器。
【請求項５】
前記１或いは複数の固定部は、ビスとネジ孔による締結部、係止片と係止受け部による係止部、又はこれらの組合せによって構成される請求項１乃至請求項４の何れかに記載の電子機器。
【請求項６】
前記押さえ部材は、１つの締結部を含む１或いは複数の固定部によって固定されており、該締結部から両マイクロホンまでの距離に差が存在し、押さえ部材は、該締結部からの距離が短い一方の端部と、該締結部からの距離が長い他方の端部を有し、前記押圧面は、前記一方の端部側ではマイクロホンに向かって低く、且つ、前記他方の端部側では、マイクロホンに向かって高い、高低差を有する形状を有している請求項４に記載の電子機器。
【請求項７】
複数の音響部品が収容室に収容され、各音響機器の外周面と前記収容室の内周壁との間には弾性部材が介在し、前記複数の音響部品を覆って押さえ部材が配備され、該押さえ部材は、１或いは複数の固定部により固定され、該押さえ部材により複数の弾性部材が押圧されて圧縮されている電子機器において、前記押さえ部材は、複数の弾性部材に対する押圧面が、前記１或いは複数の固定部が押さえ部材に作用させる固定力の分布に応じて、各弾性部材に対して均一な押圧力を及ぼすこととなる非平面の形状に形成されていることを特徴とする、複数の音響部品を搭載した電子機器。
【発明の詳細な説明】
【技術分野】
【０００１】
本発明は、マイクロホンやスピーカ等の複数の音響部品を搭載した電子機器に関するものである。
【背景技術】
【０００２】
従来、左右一対のマイクロホンを搭載したデジタルカメラ等の電子機器においては、ステレオ録音のための左右一対のマイクロホンを機器本体の収容室に収容すると共に、マイクロホンの外周面と収容室の内周壁との間に弾性部材を介在させることによって、マイクロホンの外周面と収容室の内周壁との間を通過する音の漏れを抑制し、これによってノイズの抑制を図ることが行なわれている(特許文献１)。
【０００３】
例えば図１３及び図１４に示すデジタルカメラにおいては、左右一対のマイクロホン(８)(８)が、外周面に円筒状の弾性ホルダー(81)(81)をそれぞれ装着した状態で、シャーシ(９)に収容されている。
【０００４】
そして、シャーシ(９)には、両マイクロホン(８)(８)に跨って押さえ部材(６)が取り付けられており、該押さえ部材(６)によって両弾性ホルダー(81)(81)を圧縮することにより、該弾性ホルダー(81)(81)が発揮する遮音性能によって、マイクロホン(８)(８)の外周面とシャーシ(９)の収容室の内周壁との間を通過する音の漏れを抑制している。
【０００５】
押さえ部材(６)は、厚さＴの板状の本体(60)を具えている。押さえ部材(６)の本体(60)にはフランジ(62)が突設され、該フランジ(62)をビス(７)によってシャーシ(９)に締結することにより、押さえ部材(６)をシャーシ(９)に固定している。
押さえ部材(６)には、左右一対のマイクロホン(８)(８)と対応させて、左右一対の貫通孔(61)(61)が開設されており、該貫通孔(61)(61)を経てマイクロホン(８)(８)へ音波が導入される。
【先行技術文献】
【特許文献】
【０００６】
【特許文献１】特開２００５−３５４５８１号公報
【発明の概要】
【発明が解決しようとする課題】
【０００７】
しかしながら、図１３及び図１４に示すデジタルカメラにおいては、他の構成部品との関係で、シャーシ(９)に対するビス(７)のねじ込み位置(ねじ孔の位置)が制約を受けることがあり、これによって、押さえ部材(６)を貫通するビス(７)の位置(貫通孔の位置)が、両マイクロホン(８)(８)の位置から等距離だけ離れた中央位置とならず、何れか一方のマイクロホン(８)側に偏ることになる場合がある。
【０００８】
この様な場合、押さえ部材(６)が左右一対の弾性ホルダー(81)(81)を押圧する力にアンバランスが生じ、一方の弾性ホルダー(81)に対する押圧力が他方の弾性ホルダー(81)に対する押圧力よりも大きくなって、両弾性ホルダー(81)(81)の弾性収縮量に差が生じることになる。
これによって、一対の弾性ホルダー(81)(81)が発揮する遮音性能に差が生じ、この結果、左右一対のマイクロホン(８)(８)による録音性能に差が生じる問題がある。
【０００９】
そこで本発明の目的は、複数の音響部品(マイクロホンやスピーカ)を搭載した電子機器において、複数の音響部品が発揮する性能(録音性能や放音性能)の均一化を図ることが出来る電子機器を提供することである。
【課題を解決するための手段】
【００１０】
本発明に係る複数の音響部品を搭載した電子機器においては、複数の音響部品が収容室に収容され、各音響機器の外周面と前記収容室の内周壁との間には弾性部材が介在し、前記複数の音響部品を覆って押さえ部材が配備され、該押さえ部材は、１或いは複数の固定部により固定され、該押さえ部材により複数の弾性部材が押圧されて圧縮されており、前記固定部が押さえ部材に作用させる固定力の分布に偏りが存在する。
ここで、前記押さえ部材は、前記固定力の分布の偏りに応じて、各弾性部材に対して均等な押圧力を及ぼすこととなる形状に形成されている。
【００１１】
上記本発明の電子機器によれば、押さえ部材が、複数の固定部による固定力の分布の偏りに応じて、各弾性部材に対して均等な押圧力を及ぼすこととなる形状を有しているので、該押さえ部材により、各弾性部材に対して均等な押圧力が作用し、複数の弾性部材は均等に圧縮される。これによって、複数の弾性部材は、均等な遮音効果を発揮し、この結果、複数の音響部品は同等の性能を発揮することになる。
【００１２】
具体的態様において、前記押さえ部材は、複数の弾性部材に対する押圧面が、前記固定力の分布の偏りに応じて、各弾性部材に対して均等な押圧力を及ぼすこととなる非平面の形状に形成されている。
【００１３】
他の具体的態様において、前記押さえ部材は、前記固定力の分布の偏りに応じて、各弾性部材に対して均等な押圧力を及ぼすこととなる厚さの分布を有している。
【００１４】
他の具体的な態様において、前記複数の音響機器は左右一対のマイクロホンによって構成され、前記弾性部材は、各マイクロホンの外周面に装着された円筒状の弾性ホルダーである。
【００１５】
更に具体的な態様において、前記押さえ部材は、１つの締結部を含む１或いは複数の固定部によって固定されており、該締結部から両マイクロホンまでの距離に差が存在し、押さえ部材は、該締結部からの距離が短い一方の端部と、該締結部からの距離が長い他方の端部を有し、前記押圧面は、前記一方の端部側ではマイクロホンに向かって低く、且つ、前記他方の端部側では、マイクロホンに向かって高い、高低差を有する形状を有している。
【発明の効果】
【００１６】
本発明に係る電子機器によれば、複数の音響部品(マイクロホンやスピーカ)が発揮する性能(録音性能や放音性能)の均一化を図ることが出来る。
【図面の簡単な説明】
【００１７】
【図１】図１は、本発明の一実施形態であるデジタルカメラの外観を示す斜視図である。
【図２】図２は、フロントキャビネットを分解した状態を示す斜視図である。
【図３】図３は、更にマイクロホン及び押さえ部材を分解した状態を示す斜視図である。
【図４】図４は、シャーシから分解された押さえ部材の斜視図である。
【図５】図５は、同上の押さえ部材を他の方向から見た斜視図である。
【図６】図６は、シャーシから押さえ部材を分解した状態を示す断面図である。
【図７】図７は、シャーシに押さえ部材を固定した状態を示す断面図である。
【図８】図８は、押さえ部材を第１の方向から見た斜視図である。
【図９】図９は、押さえ部材を第２の方向から見た斜視図である。
【図１０】図１０は、押さえ部材を第３の方向から見た斜視図である。
【図１１】図１１は、押さえ部材を第４の方向から見た斜視図である。
【図１２】図１２は、押さえ部材の平面図である。
【図１３】図１３は、従来のデジタルカメラにおいてシャーシから押さえ部材を分解した状態を示す断面図である。
【図１４】図１４は、従来のデジタルカメラにおいてシャーシに押さえ部材を固定した状態を示す断面図である。
【発明を実施するための形態】
【００１８】
以下、本発明をデジタルカメラに実施した形態につき、図面に沿って具体的に説明する。
本発明の一実施形態であるデジタルカメラは、図１に示す如くフロントキャビネット(11)とバックキャビネット(12)を接合してなる筐体(１)を具え、フロントキャビネット(11)の前面には、光学ユニット(10)を露出させるための撮影窓(13)が形成されている。
【００１９】
図２に示す如く、フロントキャビネット(11)とバックキャビネット(12)の間には、光学ユニット(10)を搭載したシャーシ(２)が配備される。
【００２０】
図３に示す如く、シャーシ(２)の前面には、ステレオ録音のための左右一対のマイクロホン(４)(４)を収容すべき２つの収容室(22)(22)が凹設され、両マイクロホン(４)(４)は、外周面に弾性ホルダー(41)(41)をそれぞれ装着した状態で、該収容室(22)(22)に緊密に収容される。
【００２１】
又、シャーシ(２)には、両マイクロホン(４)(４)を覆って、合成樹脂の一体成型品である押さえ部材(３)が配備される。
押さえ部材(３)には、両マイクロホン(４)(４)に対応させて、音波を導入するための左右一対の貫通孔(31)(31)が開設されている。
【００２２】
図２に示す如く、フロントキャビネット(11)には、シャーシ(２)に配備されている押さえ部材(３)の２つの貫通孔(31)(31)を露出させるための横長の開口(14)が形成されている。
【００２３】
押さえ部材(３)は、図８〜図１１に示す如く、左右一対の貫通孔(31)(31)が開設された横長板状の本体(30)を具え、該本体(30)の下辺部には、左側の貫通孔(31)から近く、且つ右側の貫通孔(31)から遠い位置に、フランジ(32)が突設され、該フランジ(32)には、貫通孔(33)が開設されている。
又、押さえ部材(３)の本体(30)の右側の端部には、フック片(34)が後方へ向けて突設されて、左側の端部には、係止受け部(35)が凹設されている。
【００２４】
一方、シャーシ(２)には、図４及び図５に示す如く、押さえ部材(３)を収容するための凹部(20)が形成され、該凹部(20)の右側の端部には、押さえ部材(３)のフック片(34)が係合すべき係合受け部(24)が形成され、左側の端部には、押さえ部材(３)の係止受け部(35)が係合すべき突片(25)が形成されている。
【００２５】
押さえ部材(３)の係止受け部(35)をシャーシ(２)の突片(25)の背面側に差し込み、押さえ部材(３)のフック片(34)をシャーシ(２)の係合受け部(24)に押し込むことによって、押さえ部材(３)は、シャーシ(２)の凹部(20)に収容された状態で、左右の２箇所でシャーシ(２)に係止される。
更に、押さえ部材(３)のフランジ(32)の貫通孔(33)へビス(５)を貫通させ、該ビス(５)の先端部をシャーシ(２)のネジ孔(23)にねじ込むことによって、押さえ部材(３)はシャーシ(２)に締結される。
【００２６】
斯くして、押さえ部材(３)は、フック片(34)と係合受け部(24)による第１の係止部と、係止受け部(35)と突片(25)による第２の係止部と、ビス(５)とネジ孔(23)による締結部の、３つの固定部によって、シャーシ(２)に固定されることになる。
【００２７】
図６に示す如く、シャーシ(２)に、それぞれ弾性ホルダー(41)を装着した左右一対のマイクロホン(４)(４)が収容された状態で、図７に示す如くシャーシ(２)に押さえ部材(３)を固定することにより、該押さえ部材(３)によって両弾性ホルダー(41)(41)が押圧されて圧縮される。
【００２８】
押さえ部材(３)は、両弾性ホルダー(41)(41)の弾性収縮に伴う弾性反発力を両弾性ホルダー(41)(41)から受けることになる。
ここで、押さえ部材(３)をシャーシ(２)に固定するためのビス(５)は、左側のマイクロホン(４)までの距離が短く、且つ右側のマイクロホン(４)までの距離が長い偏寄位置にて、押さえ部材(３)のフランジ(32)を貫通してその先端部がシャーシ(２)にねじ込まれているので、ビス(５)が押さえ部材(３)の本体(30)に及ぼす固定力は、押さえ部材(３)の左側の端部(30a)側に大きく、右側の端部(30b)側に小さくなる分布を有することになる。
【００２９】
この結果、従来は、押さえ部材(３)が左右一対の弾性ホルダー(41)(41)を押圧する力にアンバランスが生じ、左側の弾性ホルダー(41)に対する押圧力が右側の弾性ホルダー(41)に対する押圧力よりも大きくなって、両弾性ホルダー(41)(41)の弾性収縮量に差が生じることになっていたが、上記デジタルカメラにおいては、図６及び図１２に示す如く、押さえ部材(３)の本体(30)には、前記固定力の分布に応じた厚さの分布が設けられ、左端部(30a)側の厚さＴ１よりも右端部(30b)側の厚さＴ２の方が大きく形成されている。
【００３０】
そして、前記厚さの差に応じて、押さえ部材(３)の弾性ホルダー(41)(41)に対する押圧面(3a)は湾曲面に形成されて、マイクロホン(４)(４)側へ向かう高さが、左側の端部(30a)にて低く、且つ、右側の端部(30b)にて高い、高低差(例えば０.１〜０.２ｍｍ)を有する形状に形成されている。
【００３１】
従って、図７に示す如く押さえ部材(３)により両弾性ホルダー(41)(41)が弾性圧縮され、これに応じて押さえ部材(３)が弾性ホルダー(41)(41)から弾性反発力を受けた場合、押さえ部材(３)は、ビス(５)の貫通位置を中心として左右で弾性変形量の差が生じ、左端の端部(30a)よりも右側の端部(30b)の方が大きく弾性変形する。
【００３２】
この結果、右側の弾性ホルダー(41)には、ビス(５)による小なる固定力に加えて、押さえ部材(３)の大なる弾性反発力が作用して、左側の弾性ホルダー(41)に対する押圧力と、右側の弾性ホルダー(41)に対する押圧力とが、バランスすることになる。
これによって、左側の弾性ホルダー(41)の収縮量と右側の弾性ホルダー(41)の収縮量とが均等化される。
【００３３】
この様に、上記デジタルカメラにおいては、左側の弾性ホルダー(41)の収縮量と右側の弾性ホルダー(41)の収縮量とが均等化されることによって、左右一対の弾性ホルダー(41)(41)が発揮する遮音性能が同一となり、この結果、左右一対のマイクロホン(４)(４)による録音性能が同一となる。
【００３４】
又、上記デジタルカメラによれば、押さえ部材(３)によって両弾性ホルダー(41)(41)に及ぼす押圧力を過度に大きく設定する必要がないので、弾性ホルダー(41)(41)の反発力による筐体(１)の変形(膨らみ)を最小限に抑制することが出来る。
【００３５】
尚、本発明の各部構成は上記実施の形態に限らず、特許請求の範囲に記載の技術的範囲内で種々の変形が可能である。例えば、押さえ部材(３)の断面形状は図示するものに限らず、１或いは複数の固定部による固定力の分布の偏りに応じて各弾性ホルダーに対して均等な押圧力を及ぼすこととなる、種々の形状を採用することが出来る。
【００３６】
又、ビス(５)による締結を省略して、複数の係止部による固定を採用することも可能である。この場合、複数の係止部による固定部が押さえ部材(３)に及ぼす固定力の偏りに応じて、押さえ部材(３)の形状を決定する。
【００３７】
又、押さえ部材(３)の固定部(締結部若しくは係止部)が、両マイクロホン(４)(４)の間の中心位置に存在する場合においても、押さえ部材(３)の押圧面(3a)として、押さえ部材(３)が受ける固定力の分布に応じて、各弾性ホルダー(41)に対して均一な分布の押圧力を及ぼすこととなる非平面の形状を採用する。
これによって、各弾性ホルダー(41)の収縮変形の均一化と、両弾性ホルダー(41)(41)の反発力による筐体(１)の変形量の減少とを図ることが出来る。
【００３８】
更に又、左右一対のマイクロホン(４)(４)に替えて、左右一対のスピーカを搭載した電子機器に本発明を実施することも可能であり、これによって両スピーカの音響特性の均一化を図ることが出来る。
【符号の説明】
【００３９】
(１)  筐体
(２)  シャーシ
(３)  押さえ部材
(30)  本体
(31)  貫通孔
(32)  フランジ
(４)  マイクロホン
(41)  弾性ホルダー
(５)  ビス
【図１】
2013157768.tif 000003
【図２】
2013157768.tif 000004
【図３】
2013157768.tif 000005
【図４】
2013157768.tif 000006
【図５】
2013157768.tif 000007
【図６】
2013157768.tif 000008
【図７】
2013157768.tif 000009
【図８】
2013157768.tif 000010
【図９】
2013157768.tif 000011
【図１０】
2013157768.tif 000012
【図１１】
2013157768.tif 000013
【図１２】
2013157768.tif 000014
【図１３】
2013157768.tif 000015
【図１４】
2013157768.tif 000016